(57)【要約】【課題】セキュリティイベントに遠隔からアクセスし、及び／またはセキュリティイベントを通知するシステム及び方法を提供する。【解決手段】  リモートアクセスシステムを使用してセキュリティシステムのセキュリティイベント情報にリモートアクセスすることができる。セキュリティシステムは、セキュリティイベントに関するイベントまたはアラームデータを収集するセキュリティイベント収集システム１０２と、セキュリティイベントの画像を録画する映像監視システム１０８を備える。リモートアクセスシステム１２０はイベントデータと映像データをリンクする統合データベース１３０を備えてよい。モバイルアクセス装置１１２から、例えば無線回線で、記憶されたイベント及び映像データにアクセス可能である。リモートアクセスシステムからモバイルアクセス装置のユーザにイベントの通知を行うことができる。【選択図】図１
2005228330.tif 000002
【特許請求の範囲】
【請求項１】
セキュリティイベントデータを収集するように構成されるセキュリティイベントデータ収集システムと、
セキュリティイベントの画像を録画し、映像データを発生するように構成される映像監視システムと、
前記セキュリティイベントデータ収集システムからセキュリティイベントデータを受信すると共に前記映像監視システムから映像データを受信するように構成され、受信映像データをセキュリティイベントに関係する受信セキュリティイベントデータにリンクするように構成され、前記リンクされたセキュリティイベントデータ及び映像データを記憶するように構成される少なくとも１つの統合データベースを有し、アクセス装置から前記リンクされたセキュリティイベントデータ及び映像データへのアクセスが行われるように構成されるリモートアクセスシステムと、
を備えることを特徴とするセキュリティシステム。
【請求項２】
前記セキュリティイベントデータ収集システムは、
セキュリティイベントを検知し、前記検知されたセキュリティイベントに関するアラームデータを発生するように構成される少なくとも１つの検知装置と、
前記アラームデータを記憶するように構成される少なくとも１つのセキュリティイベントデータベースと、
を含む、請求項１に記載のセキュリティシステム。
【請求項３】
前記セキュリティイベントデータ収集システムは、電子商品管理（ＥＡＳ）式システム、無線周波数識別（ＲＦＩＤ）式システム、運動検知システム、出入口監視システム、ガラス窓およびドア破損検知システム、温度検知システム、火災検知システム、ガス検知システム、侵入検知システム、及び電子アクセスコントロールシステムからなるグループの中から選択される少なくとも１つのシステムを有する、請求項１に記載のセキュリティシステム。
【請求項４】
前記統合データベースに記憶され、前記セキュリティイベントデータにリンクされる前記映像データはデジタルビデオクリップを有する、請求項１に記載のセキュリティシステム。
【請求項５】
前記統合データベースに記憶され、前記セキュリティイベントデータにリンクされる前記映像データは前記映像監視システムに記憶されるデジタルビデオクリップに関する情報を有する、請求項１に記載のセキュリティシステム。
【請求項６】
前記リモートアクセスシステムは、前記リンクされたセキュリティイベントデータ及び映像データ、及び前記統合データベースに記憶される他のデータにアクセスを行うように構成されるウェブサーバを有する、請求項１に記載のセキュリティシステム。
【請求項７】
前記リモートアクセスシステムは、モバイルアクセス装置にイベントを通知するように構成される通知システムを有する、請求項１に記載のセキュリティシステム。
【請求項８】
前記セキュリティイベントデータ収集システムはオブジェクト認識システムである、請求項１に記載のセキュリティシステム。
【請求項９】
セキュリティイベント情報にリモートアクセスするリモートアクセスシステムにおいて、
セキュリティイベントデータ収集システムに接続され、セキュリティイベントデータを受信するように構成されるアラームインタフェースと、
映像監視システムに接続され、映像データを受信するように構成されるビデオインタフェースと、
前記映像監視システムからの前記受信映像データを前記セキュリティイベントデータ収集システムからの前記受信セキュリティイベントデータにリンクし、前記リンクされた映像及びセキュリティイベントデータを記憶するように構成される統合データベースと、
モバイルアクセス装置に接続され、無線回線を介して前記モバイルアクセス装置に前記リンクされた映像及びセキュリティイベントデータを送るように構成される無線インタフェースと、
前記モバイルアクセス装置に通知メッセージを送信してイベントの通知を行うように構成される通知システムと、
を備えるリモートアクセスシステム。
【請求項１０】
前記統合データベースは、前記セキュリティイベントデータ収集システムの検知装置に関する装置情報が記される装置管理テーブルを記憶するように構成される、請求項９に記載のリモートアクセスシステム。
【請求項１１】
前記統合データベースは、前記モバイルアクセス装置にセキュリティイベントを通知する通知処理を制御する通知ルールを記憶するように構成される、請求項９に記載のリモートアクセスシステム。
【請求項１２】
さらに、前記モバイルアクセス装置に前記リンクされた映像及びセキュリティイベントデータを送るように構成されるウェブサーバを備える、請求項９に記載のリモートアクセスシステム。
【請求項１３】
セキュリティイベント情報にリモートアクセスする方法において、
セキュリティイベントデータ収集システムにより検知されたセキュリティイベントを表すセキュリティイベントデータを受信するステップと、
映像監視システムにより録画されたセキュリティイベントの画像に関する映像データを受信するステップと、
セキュリティイベントを表すセキュリティイベントデータと、前記セキュリティイベントに関係する映像データをリンクするステップと、
前記リンクされたセキュリティイベント（アラーム）及び映像データを統合データベースに記憶するステップと、
前記リンクされたアラーム及び映像データを前記統合データベースからモバイルアクセス装置に送信するステップと、
を含む方法。
【請求項１４】
前記セキュリティイベントデータは、ドアの開動作、販売時点（ＰＯＳ）トランザクション、アクティブ電子物品管理（ＥＡＳ）タグの検知、及び無線周波数識別（ＲＦＩＤ）ラベルへの近接からなるグループの中から選択される少なくとも１つのイベントを表す、請求項１３に記載の方法。
【請求項１５】
前記セキュリティイベントデータ及び前記映像データは、前記セキュリティイベントデータ及び前記映像データに関するタイムスタンプに基づいてリンクされる、請求項１３に記載の方法。
【請求項１６】
前記統合データベースに受信され、記憶される前記映像データはデジタルビデオクリップを有する、請求項１３に記載の方法。
【請求項１７】
前記統合データベースに受信され、記憶される前記映像データは前記映像監視システム内のマルチメディアサーバに記憶されるデジタルビデオクリップに関する情報を有する、請求項１３に記載の方法。
【請求項１８】
前記セキュリティイベントデータを受信するステップ及び前記映像データを受信するステップは、前記セキュリティイベントデータ収集システム内のセキュリティイベントデータベースと前記統合データベース間の同期をとる、請求項１３に記載の方法。
【請求項１９】
前記前記リンクされたアラーム及び映像データを前記統合データベースからモバイルアクセス装置に送信するステップは、ウェブサーバに前記リンクされたアラーム及び映像データを送るステップを有する、請求項１３に記載の方法。
【請求項２０】
さらに、前記統合データベースに記憶されるルールに基づいてイベントを加入者に通知するステップを有する、請求項１３に記載の方法。
【発明の詳細な説明】
【技術分野】
【０００１】
［関連出願の相互参照］
この出願は、２００４年２月１１日に提出され、参照により以下に組み込まれている米国仮出願番号60/543,727の利益を請求するものである。そして２００３年１１月２０日に提出され、参照により以下に組み込まれている米国特許出願番号10/718,447の一部継続である。
【０００２】
本発明は、セキュリティシステムに関し、特に、遠隔地のセキュリティデータにアクセスし、及び／またはそれを受信するモバイルコンポーネントを備えるセキュリティシステムに関する。
【背景技術】
【０００３】
従来のセキュリティシステムにおいて、各種セキュリティデータは各種セキュリティ装置から中央監視場所に伝えられる。しかしながら、この種のセキュリティデータにアクセスしようとするセキュリティ部員はセンタ場所にいてデータにアクセスする必要がある。このことは、部員に事故を調査し、各種事件の発生を適時に知る能力を禁じている。例えば、セキュリティ部員は、安全監視カメラのライブ映像または録画映像を見るのに、中央監視場所で見なければばらない。
【０００４】
また、セキュリティ部員にとって、中央場所から離れた場所にいるときに、セキュリティイベントの発生を能動的に通知されることが望ましく、また、ビデオクリップそしてイベントがいつ発生したかのようなベントに関する情報が提供されることが望ましい。
【発明の開示】
【発明が解決しようとする課題】
【０００５】
したがって、セキュリティイベントに遠隔からアクセスし、及び／またはセキュリティイベントを通知するシステム及び方法に対する要求がある。
本発明の前記及びその他の特徴、及び効果は図面を参照してなされる以下の説明から明らかにされる。
【課題を解決するための手段】
【０００６】
本発明の一実施形態に基づいたセキュリティシステムは、セキュリティイベントデータを収集するように構成されるセキュリティイベントデータ収集システム、及びセキュリティイベントの画像を録画し、映像データを発生するように構成される映像監視システムを備える。リモートアクセスシステムはセキュリティイベントデータ収集システムからセキュリティイベントデータを受信すると共に映像監視システムから映像データを受信するように構成される。さらにリモートアクセスシステムは、受信映像データをセキュリティイベントに関係するセキュリティイベントデータにリンクするように構成される。リモートアクセスシステムは、リンクされたセキュリティイベントデータ及び映像データを記憶するように構成される少なくとも１つの統合データベースを備えてよい。さらにリモートアクセスシステムはアクセス装置からリンクされたセキュリティイベントデータ及び映像データへのアクセスが行われるように構成されてよい。
【０００７】
本発明の別の実施形態に基づいて、セキュリティイベント情報のリモートアクセスシステムは、セキュリティイベントデータ収集システムに接続され、セキュリティイベントデータを受信するように構成されるアラームインタフェース、及び映像監視システムに接続され、映像データを受信するように構成されるビデオインタフェースを備える。さらにリモートアクセスシステムは、映像監視システムからの受信映像データをセキュリティイベントデータ収集システムからの受信セキュリティイベントデータにリンクし、リンクされた映像及びセキュリティイベントデータを記憶するように構成される統合データベースを備えてよい。さらにリモートアクセスシステムは、モバイルアクセス装置に接続され、無線回線を介してモバイルアクセス装置にリンクされた映像及びセキュリティイベントデータを送るように構成される無線インタフェースを備えてよい。さらにリモートアクセスシステムは、モバイルアクセス装置に通知メッセージを送信してイベントの通知を行うように構成される通知システムを備えてよい。
【０００８】
本発明のさらに別の実施形態に基づいて、セキュリティイベントのリモートアクセス方法は、セキュリティイベントデータ収集システムにより検知されたセキュリティイベントを表すセキュリティイベントデータを受信し、映像監視システムにより録画されたセキュリティイベントの画像に関する映像データを受信し、セキュリティイベントを表すセキュリティイベントデータと、セキュリティイベントに関係する映像データをリンクし、リンクされたセキュリティイベント（アラーム）及び映像データを統合データベースに記憶し、リンクされたアラーム及び映像データを統合データベースからモバイルアクセス装置に送信するステップを有する。
【発明を実施するための最良の形態】
【０００９】
説明の簡略および便宜上、本発明は様々な実施形態について説明される。しかしながら、当業者には明らかなように、本発明の特徴及び効果は様々な構成で達成される。したがって、記載される実施形態は例示であって、これに制限されるものではない。
【００１０】
図１は、本発明の一実施形態に基づいたセキュリティシステム１００のブロック図である。概して、セキュリティシステム１００は、リモートアクセスシステム１２０に接続されて、遠隔的にセキュリティイベント情報を受信し、評価する１以上のリモートまたはモバイルアクセス装置１１２を備える。さらに、セキュリティシステム１００は、収集または検知装置１０４からセキュリティイベントデータ（また、アラームデータと参照される）を収集するセキュリティイベントデータ収集システム１０２、及び１以上のカメラ１１０を使ってセキュリティイベントの画像を捕らえる映像監視システム１０８を備える。セキュリティイベントデータ収集システム１０２、映像監視システム１０８、及びリモートアクセスシステム１２０は、例えば、イーサネット（登録商標）などのネットワーク１５０を通じて接続され、交信する。
【００１１】
リモートアクセスシステム１２０は、セキュリティイベントデータ収集システム１０２及び映像監視システム１０８からセキュリティデータを受信して記憶する統合データベース１３０を備える。統合データベース１３０は、セキュリティイベント毎にイベントデータと、そのイベントに関する映像データをリンクすることができる。リモートアクセスシステム１２０はアクセス装置１１２にイベントを通知し、イベントの映像データが添付されたイベントデータを、例えばイベントメッセージの形式で配信可能である。代わりに、リモートアクセスシステム１２０との通信をアクセス装置１１２側から起動して統合データベース１３０にあるセキュリティデータにアクセスしてよい。アクセス装置１１２側でイベントデータの閲覧や、イベントに関する映像データの再生が可能である。
【００１２】
アクセス装置１１２は、携帯情報端末（ＰＤＡ）、携帯電話、ページャ、パーソナルコンピュータ、コンピュータ端末、ラップトップコンピュータ、または情報キオスクであってよい。当業者には明らかなように、アクセス装置１１２は、様々な方法でリモートアクセスシステム１２０に接続され、通信を行うことが可能である。接続は、インターネットで行われてよく、また、無線ローカルエリアネットワーク（ＷＬＡＮ）やセルラーワイドエリアネットワーク（ＷＡＮ）を介して行われてよい。また、アクセス装置１１２は、アクセスポイント１１４を介して直接ネットワークに接続されてよく、セキュリティイベントデータ収集システム１０２または映像監視システム１０８から直接、データを受信してよい。
【００１３】
セキュリティイベントデータ収集システム１０２は、セキュリティイベントデータを検知し、及び／または収集する任意のものであってよく、例えば、電子物品管理（ＥＡＳ）式システム、無線周波数識別（ＲＦＩＤ）式システム、運動検知システム、出入口監視システム、ガラス窓やドアの破損検知システム、温度検知システム、火災検知システム、ガス検知システム、侵入検知システム、電子アクセスコントロールシステムなどであり得るが、これには限定されない。セキュリティイベントデータ収集システム１０２の１例として、タイコインターナショナル社(Tyco International Ltd.）の一部門であるＡＤＴセキュリティサービス社（ADT Security Services, Inc.）から入手可能なＳＥＮＳＯＲＭＡＴＩＣ(登録商標)  ＵＬＴＲＡＬＩＮＫ(登録商標)  ＥＡＳシステムがある。収集装置１０４は、例えば、アクティブＥＡＳタグの検知、ＲＦＩＤラベルの検知、販売時点（ＰＯＳ）トランザクション、ドアや窓の開動作や破損、ガスや火災などのセキュリティイベントを検知する。セキュリティイベントが検知されると、データ収集システム１０２は検知イベントを表すイベントまたはアラームデータを発生する。イベントまたはアラームデータには、イベントの場所やイベントまたはアラームの種類を示す情報とともにイベントの発生時刻を示すタイムスタンプが含まれる。
【００１４】
映像監視システム１０８はセキュリティイベントの画像を捕らえるシステムを備える。映像監視システム１０８の１例として、タイコインターナショナル社(Tyco International Ltd.）の一部門であるＡＤＴセキュリティサービス社（ADT Security Services, Inc.）から入手可能なＩＮＴＥＬＬＥＸ(登録商標)  Ｖ３．１映像監視システムがある。ビデオカメラ１１０は連続的にまたは所定の間隔で監視エリアの映像を撮る。監視エリアは、例えば、店舗の出入口、キャッシュレジスタの周辺、保護資産の周辺エリアなどである。ビデオカメラ１１０の向きは、固定されてもよいし、あるいは、例えば、ビデオカメラ１１０のパン／チルト／ズーム調整により、またはビデオカメラ１１０の視角調整により、コントロールされてもよい。映像監視システム１０８は画像を取り込むと、デジタルビデオレコーダ（ＤＶＲ）、パーソナルコンピュータなどのマルチメディアサーバに録画画像を記憶する。さらに、映像監視システム１０８は、記録映像に関する情報として、タイムスタンプ、ビデオクリップの長さ、監視エリアの場所などを記憶する。また、映像監視システム１０８は画像に関連する音声も取り込み、記憶してよい。
【００１５】
セキュリティシステム１００は、ネットワーク１５０に接続され、及び／または、映像監視システム１０８に直接、接続されるオブジェクト認識システム１０６を備えてよい。オブジェクト認識システム１０６は監視エリアに侵入する各種対象または物体を認識するように構成される。概して、オブジェクト認識システム１０６はカメラ１１０からライブ映像を受信し、映像を分析して監視エリアに対象が侵入したかを検知する。オブジェクト認識システム１０６は検知された対象を表すデータを様々な既知の対象を表すデータと比較し、所定の相関があるかを確認する。相関があれば、オブジェクト認識システム１０６はセキュリティイベントデータ収集システムとして動作してイベントデータを統合データベース１３０に送る。
【００１６】
当業者には明らかなように、カメラ１１０のライブ映像は、例えば、回線ケーブル、あるいは無線接続などの様々な方法でオブジェクト認識システム１０６及び映像監視システム１０８に伝えられる。また、当業者には明らかなように、オブジェクト認識システム１０６は、カメラ１１０のライブ映像を分析し、及び／または映像に関する情報を、イベントに関係する情報や映像から検知される情報とともに記憶するために、様々な従来構成のコンピュータを備えてよい。
【００１７】
図２に、セキュリティイベント情報の収集、記憶、送信に使用される統合型、サーバ型のアーキテクチャとして実現されるリモートアクセスシステム１２０の実施形態が示される。リモートアクセスシステム１２０は、セキュリティイベントデータ収集システム１０２からイベント／アラームデータ１２４を取得するアラームインタフェース１２２、及び映像監視システム１０８から映像データ１２８を取得するビデオインタフェース１２６を備える。
【００１８】
リモートアクセスシステム１２０は実時間用途（例えば、イベント発生時のイベント通知）及び事後用途（例えば、イベント報告書）のために、イベントデータ及び映像データを取得する。リモートアクセスシステム１２０は共通方式で統合データベース１３０のイベントレコードをフォーマットしてよい。１例では、初期化ファイルを用いて、イベントレコードに記入されるフィールドを決定し、フィールドの順序を決定することができる。
【００１９】
統合データベース１３０は個々のイベント毎に映像データとイベント／アラームデータをリンクし、リンクされたアラーム及び映像データ１３２として記憶する。統合データベース１３０は、例えばマイクロソフト（Microsoft）やオラクル（Oracle）から入手可能な種類のデータベースサーバ及びデータベース管理システムを用いた、リレーショナルデータベースで実現可能である。リンクされたイベント／アラームデータ及び映像データは統合データベース１３０内の複合型テーブルに記憶される。データベース同期ソフトウェアを実行して、セキュリティイベントデータ及び／または映像データを統合データベース１３０に転送してよい。
【００２０】
イベントデータにリンクされる映像データは映像関連情報とともにデジタルビデオクリップを含んでよい。デジタルビデオクリップは埋込ビデオクリップとして統合データベース１３０に直接、記憶されてよい。デジタル映像を統合データベース１３０に記憶する際、埋込ビデオクリップは当業者にはよく知られた技法により高圧縮フォーマットで記憶される。
【００２１】
代替として、デジタルビデオクリップは別個のマルチメディアサーバ（例えば監視システム１０８内）に常駐するリンクされたビデオであってよい。別個のマルチメディアサーバ上のデジタルビデオクリップはデータベース関係に基づいて統合データベース１３０上のイベントデータに関連づけられる。デジタル映像を別の場所に記憶する場合、統合データベース１３０に記憶される映像データにはビデオクリップに関する情報（例えば、タイムスタンプおよび持続期間）が含まれる。さらに別の代替形態において、デジタル映像は直接、モバイルアクセス装置１１２にストリーミング配信され、記憶される。
【００２２】
イベント／アラームデータ１２４と映像データ１２６はセキュリティイベントの発生に応じてリンクされる。イベント／アラームデータ１２４及び映像データ１２６にはイベント発生時刻を表すタイムスタンプ及び映像の撮影時刻を表すタイムスタンプが含まれる。データ収集システム１０２と映像監視システム１０８は共に、ハードウェアのタイムスタンプソースから与えられる協定世界時（ＵＴＣ）を使用して、高精度で整合したタイムスタンプを行う。したがって、特定の時刻、場所で発生したイベントに関するイベントデータと、その時刻にその場所で撮影した映像に関する映像データをリンクすることができる。
【００２３】
統合データベース１３０には、アラーム及び映像データ１３２以外に、収集装置１０４に関する装置情報を含む装置管理テーブル１３４が置かれる。ユーザは装置管理テーブル１３４を介して収集装置１０４の装置情報を入手し、及び／またはモバイルアクセス装置１１２から収集装置１０４を管理することが可能である。さらに、統合データベース１３０には、後述するような通知処理を起動する通知ルール１３６が置かれる。モバイルアクセス装置１１２から通知ルールにアクセスしてルールを変更することにより、通知処理をカスタマイズすることができる。また、通知ルールはウェブサーバ１６２によりワールドワイドウェブを通じて外部からも変更可能である。
【００２４】
リモートアクセスシステム１２０は一実施形態において、モバイルアクセス装置（または装置群）１１２に接続され、データを無線通信に適したフォーマットで送る無線インタフェース１６０を備える。無線インタフェース１６０は当業者にはよく知られている無線技術、例えば、ブルートゥース（Bluetooth）のような短距離無線技術、セルラープロトコルなどの各種遠距離無線技術で実現可能である。
【００２５】
リモートアクセスシステム１２０は、統合データベース１３０をアクセス装置１１２から利用可能にするため、ウェブサーバ１６２を備えてよい。一実施形態において、ウェブサーバ１６２はマイクロソフトから入手可能なインターネット情報サービス（ＩＩＳ）ウェブサーバであってよい。ウェブサーバ１６２は、モバイルアクセス装置１１２からのハイパーテキストトランスファープロトコル（ＨＴＴＰ）要求に応じて、アクティブサーバページ（ＡＳＰ）などのウェブページデータを配信することができる。
【００２６】
リモートアクセスシステム１２０はイベントの通知を行う通知／メッセージングシステム１６４を備えてよい。通知／メッセージングシステム１６４は、例えば加入契約毎に、モバイルアクセス装置１１２にイベントまたはアラームメッセージを配信することができる。一実施形態において、メッセージはイベントデータ及び映像データを添えたＥメール方式でユーザに伝えられる。メッセージ内の映像データの形式は埋込ビデオクリップ、あるいはビデオクリップ記憶場所へのリンクであってよい。
【００２７】
一実施形態に基づいて、ウェブサービス発行／加入メカニズムによりイベントの通知が行われる。リモートアクセスシステム１２０は拡張可能なマーク付け言語（ＸＭＬ）、シンプルオブジェクトアクセスプロトコル（ＳＯＡＰ）、及びユニフォームデバイスディスカバリインターフェース（ＵＤＤＩ）標準をサポート可能である。また、実時間とバッチの双方によるイベント情報配信を可能にするため、リモートアクセスシステム１２０は、ＩＢＭから入手可能なＩＢＭ  ＭＱシリーズやマイクロソフトから入手可能なＭＳＭＱのような非同期メッセージイングキューシステムを備えてよい。メッセージイングキューシステムは、有線または無線通信で適切なフォーマットによる情報配信を可能にする。また、メッセージイングキューシステムはランポート（Lamport）アルゴリズムのように、非同期メッセージングでサポートされる時間整合プロトコルを使用してよい。
【００２８】
さらにリモートアクセスシステム１２０は、当業者にはよく知られた情報セキュリティ技術に基づいた情報セキュリティ保護を備えてよい。使用してよい情報セキュリティ技術の例として、二因子認証、公開鍵インフラストラクチャ（ＰＫＩ）、セキュアソケットレイヤ（ＳＳＬ）、デジタル証明書などがある。
【００２９】
統合データベース１３０への接続は、例えば、オープンデータベース接続性（ＯＤＢＣ）、ジャバデータベース接続性（ＪＤＢＣ）、アクティブＸデータオブジェクト（ＡＤＯ）などの標準化データベース接続技術を使用して実現できる。また、当業者にはよく知られているように、エンタープライズアプリケーションインタフェース（ＥＡＩ）アプリケーションを用いて統合データベース１３０のデータをエンタープライズアプリケーションに渡すデータベース接続を行ってよい。統合データベース１３０にあるデータへのアクセスは、ＸＭＬ  Ｉ／Ｏ、データベース同期、エンタープライズ接続により、あるいはよく知られた他の手法を用いて行われる。
【００３０】
リモートアクセスシステム１２０、データ収集システム１０２、及び映像監視システム１０８は、例えば、アップルコンピュータにより実現されるランデブーのようなゼロ構成ネットワーキング（zeroconf）標準化技法を用いてネットワーク化される。また、セキュリティシステム１００のネットワーク化はユニバーサル・プラグ・アンド・プレイ（Universal Plug and Play）標準化技法を用いて行ってよい。リモートアクセスシステム１２０は、例えば、マイクロソフトから入手可能なサーバ・アプライアンス・キット（ＳＡＫ）のようなサーバ器具として実現してよい。
【００３１】
また、リモートアクセスシステム１２０は、１以上のスケジュール式またはオンデマンド式業務処理１７０、１７２、１７４、１７６を実行してよい。通知業務処理１７０の実行により、通知／メッセージングシステム１６４の実行する通知処理が起動され、管理される。分析処理１７２の実行により、統合データベース１３０内のアラーム及び映像データ１３２のデータ分析が行われる。リポート処理１７４の実行により、例えば、統合データベース１３０に記憶されたイベント及び映像データ、あるいは装置情報を含むリポートが作成される。エンタープライズ接続処理１７６の実行により、エンタープライズアプリケーションインタフェース（ＥＡＩ）を介して、統合データベース１３０のデータがアプリケーションに渡される。
【００３２】
図３は別の実施形態のリモートアクセスシステム１２０ａを示す。この実施形態のリモートアクセスシステム１２０ａは、前記実施形態と同様な、統合データベース１３０、無線インタフェース１６０、ウェブサーバ１６２、及び通知／メッセージングシステム１６４を備える。この実施形態のリモートアクセスシステム１２０ａにおいて、無線インタフェース１６０は無線ＬＡＮインタフェース１８０とセルラーＷＡＮインタフェース１８２の双方を備える。また、リモートアクセスシステム１２０ａは、データ収集システム１０２とのインタフェースをとり、データ収集システム１０２から受信したイベント／アラームデータを管理するアラーム管理インタフェース２０２を備えてよい。また、外部からウェブサーバ１６２へのアクセスを制限するファイアウォール２０４にウェブサーバ１６２を接続してよい。
【００３３】
この実施形態において、リモートアクセスシステム１２０ａは、さらに、カメラ１１０ａを制御し、無線ネットワークを介して映像データのストリーミング配信を行う映像／オーディオストリーミング配信及び制御システム２１０を備える。映像／オーディオストリーミング配信及び制御システム２１０は当業者にはよく知られた技法によりカメラ１１０ａの位置調整を行うドームコントロール２１２を備えてよい。さらに、映像／オーディオストリーミング配信及び制御システム２１０は、デジタル映像データを符号化するビデオエンコーダ２１４、符号化された映像データを暗号化する暗号器２１６、無線インタフェース１６０から無線回線で送られる暗号化映像データのストリーミング配信を管理するストリーミングマネージャ２１８を備えてよい。
【００３４】
リモートアクセスシステム１２０ａは、この実施形態に基づいて、さらに、カメラ１１０ｂ及び映像監視システム１０８とのインタフェースをとる外部システムインタフェース２２０を備えてよい。外部システムインタフェース２２０は映像監視システム１０８とのインタフェースをとるビデオレコーダアプリケーションプログラミングインタフェース（ＡＰＩ）２２２、及びカメラ１１０ｂとのインタフェースをとるインタフェースＡＰＩ２２４を備えてよい。
【００３５】
図３に示されるように、一実施形態のモバイルアクセス装置１１２はメッセージマネージャ３１０、ブラウザ３１２、及びビデオストリーム受信機３２０を備えてよい。メッセージマネージャ３１０はリモートアクセスシステム１２０、１２０ａから送られてきた通知メッセージを受信し、管理する。ブラウザ３１２はウェブサーバ１６２のウェブページにアクセスするのに用いられる。ビデオストリーム受信機３２０はストリーム映像データを受信し、暗号解読、復号してユーザがアクセス装置１１２から映像を見ることができるようにする。
【００３６】
セキュリティ情報のリモートアクセス方法の一実施形態が図４に示される。セキュリティイベントが（例えば、１以上の検知装置またはデータ収集装置を使用して）監視される（４１０）。セキュリティイベントが検知されて（４１２）、データ収集システムによりセキュリティイベントデータが収集されると、そのセキュリティイベントデータは統合データベースに送られ、記憶される（４１４）。イベントが（例えば映像監視システムにより）映像として撮られていれば（４１６）、その映像データが統合データベースに記憶され、イベントデータにリンクされる（４１８）。撮影された映像データの全部または一部はイベントデータと共に記憶され、あるいは、別の場所（例えば映像監視システム上）に記憶された映像データにイベントデータがリンクされる。イベントはモバイルアクセス装置を介して（例えば、埋込ビデオクリップの形式またはビデオクリップへリンクされる形式の映像データ及びイベントデータを含むメッセージにより）ユーザまたは加入者に通知される（４２０）。
【００３７】
ユーザは、モバイルアクセス装置で通知を受信すると、アラームまたはイベントを確認し、統合データベースのイベント及び映像データにアクセスする（４２２）。映像データにアクセスする際に、ユーザはモバイルアクセス装置を介して映像データを操作する（例えば早送り、巻き戻し、スキャニング、あるいはズームイン／アウト）ことができる。代替として、映像データは実時間で直接、モバイルアクセス装置にストリーミング配信されてよい。
【００３８】
セキュリティイベント情報にリモートアクセスするリモートアクセスシステム及び方法は、コンピュータシステムで使用されるコンピュータプログラム製品として実施可能である。この種の実施形態は、制限する意味でないが、リモートアクセスシステム及び方法について上述した機能の全部または一部を具現化した一連のコンピュータ命令を有する。一連のコンピュータ命令は、例えば半導体、磁気式、光学式記憶装置などのような機械読取可能媒体に記憶されてよく、光、赤外線、マイクロ波、その他の伝送技術により伝送される。この種のコンピュータプログラム製品は、取り外し可能な機械読取可能媒体（例えばディスケット、ＣＤ−ＲＯＭ）として頒布され、あるいはコンピュータシステムに（例えばシステムＲＯＭまたは固定ディスク上に）プリロードされ、あるいはネットワーク（例えばインターネットまたはワールドワイドウェブ）を介してサーバまたは電子掲示板から配信されてよい。
【００３９】
当業者には明らかなように、この種のコンピュータ命令は、各種コンピュータアーキテクチャまたはオペレーティングシステムで使用される様々なプログラミング言語で記述されてよい。例えば、好ましい実施形態として、手続き型プログラミング言語（例えば「Ｃ］）、あるいはオブジェクト指向型プログラミング言語（例えば「Ｃ＋＋」やＪａｖａ（登録商標））で実施可能である。代替の好適実施形態として、前もってプログラムされたハードウェア要素、あるいはハードウェアとソフトウェアの組合せで実現してよい。
【００４０】
以上、本発明の諸原理について説明してきたが、当業者には明らかなように、前記説明は例示にすぎず、本発明の範囲を制限するものでない。本書で説明され、図面に示された実施形態以外に、本発明の範囲内で他の実施形態が考えられる。当業者に係る変更形態、代替形態は本発明の範囲内であると解され、本発明の範囲は特許請求の範囲によってのみ制限されるものである。
【図面の簡単な説明】
【００４１】
【図１】本発明の一実施形態に基づいて、セキュリティイベント情報にリモートアクセスするリモートアクセスシステムを備えるセキュリティシステムを示す概略ブロック図である。
【図２】セキュリティイベント情報にリモートアクセスするリモートアクセスシステムの一実施形態を示す概略ブロック図である。
【図３】セキュリティイベント情報にリモートアクセスするリモートアクセスシステムの他の実施形態を示す概略ブロック図である。
【図４】本発明の一実施形態に基づいて、セキュリティイベント情報にリモートアクセスするリモートアクセス方法を示すフローチャートである。
【図１】
2005228330.tif 000003
【図２】
2005228330.tif 000004
【図３】
2005228330.tif 000005
【図４】
2005228330.tif 000006
【外国語明細書】
2005228330000001.pdf